(57)【要約】【課題】手を使わずにすばやく笛を口にくわえられて、使わないときには口から離れて会話をしたい。そして手を使わずに電子機器を操作したい。【解決手段】調整自在な構造の図１記載のアーム３と、前記アーム３の一端を保持したヘルメット本体側壁に結合する結合部２と、前記アーム３の他端に取り付けた顎の運動により揺動して積載物５を口に運ぶてこ部４と、前記積載物５に取り付けたセンサー６により電子機器の簡単な操作を可能にした。【選択図】  図１
2005126873.tif 000002
【特許請求の範囲】
【請求項１】
位置調整自在に保持可能なアームの先端を支点として揺動する長物体と、前記長物体の前端付近に取り付けた顎に当たる顎受けと、前記長物体の奥端付近に積載物と、前記積載物を取り付ける搭載部とから成るてこ部を持ち、前記アームの他端をヘルメット側壁に昇降可能に保持する結合部を具備したことを特徴とする多機能ヘルメット。
【請求項２】
請求項１記載の前記搭載部は前記積載物を容易に着脱可能かつ容易に角度調節可能な積載物ホルダーと、前記積載物ホルダーを上下方向に往復揺動可能な揺動装置と、前記積載物と前記積載物ホルダーと前記揺動装置を一体に前記長物体の長手方向に位置調整可能に保持する摺動装置とを具備したことを特徴とする請求項１記載の多機能ヘルメット。
【請求項３】
請求項１記載の顎受けは顎と接する部分に回転するローラーを１つ以上具備したことを特徴とする請求項１記載の多機能ヘルメット。
【請求項４】
請求項１記載の前記てこ部は前記支点付近に取り付けた前記長尺体を回転可能かつ、固定可能な長尺体回転機構を具備していることを特徴とする請求項１記載の多機能ヘルメット。
【発明の詳細な説明】
【技術分野】
【０００１】本発明は、顎の運動で積載物を口にくわえる多機能ヘルメットに関するものである。
【背景技術】
【０００２】笛に紐をつけて首にかける習慣があったが必要なときにすばやく使うことができなかった。この改善策としてヘルメット側壁に笛を収納するケースを取り付けたものや、ヘルメット側壁にリールを取り付けて笛と紐でつないだものがあった。しかし、笛を口にくわえるときに必ず手を使わなければならず手がふさがった状態では使用できなかった。
【発明の開示】
【発明が解決しようとする課題】
【０００３】解決しようとする課題は手を使わずにすばやく笛を口にくわえられて、使わないときには口から離れて会話ができ、かつ、電子機器の簡単な制御も可能にしたい。
【課題を解決しようとする手段】
【０００４】この改善策として顎の上下運動によって笛が口に出入りする図１、図２記載のてこ部４を調整自在な構造なアー厶３でヘルメット本体１と結合部２で昇降自在に固定した。
【発明の効果】
【０００５】本発明で両手がふさがった状態で会話をしながら必要なときだけすばやく笛を吹ける。
【発明を実施するための最良の形態】
【０００６】アームとヘルメットを容易に着脱可能にする図１、図２記載の結合部２と、笛を容易に着脱可能にする図２記載の積載物ホルダー７を具備した点にある。
【実施例１】
【０００７】図１、図２記載のアーム３はヘルメット装着者の顔の形や顎の位置に応じて、てこ部４を調整できるように図２記載のフレキシブルチューブ２１と前記アーム３を昇降自在に保持可能にする図２記載のアーム棒２２と図１記載の結合部２を具備している。【０００８】図２記載の積載物５を顎の動きで口に入れるために顎に接する顎受け１２と、口に入れる前記積載物５を長尺体１０で連結して、前記長尺体１０の中間付近に支点として回動する図２記載のベアリング１８を挿入するベアリング挿入穴１７を持つ支点ブロック２８を支点棒１９に揺動可能に嵌めたてこ部４を具備している。【０００９】図２記載の前記顎受け１２の他の実施例として図３に示すローラー型顎受けがあり顎受けローラー３５は顎と顎受け部の摩擦を軽減し、かつ、図３記載の第二摺動装置３３と第二角度調整金具３４の作用で効率良く顎の動きを伝えることが可能である。【００１０】図２記載の前記積載物５は笛の他にセンサー６を具備したタイプもあるため用途別に積載物を取り替えたり、前記積載物５を丸洗いして衛生を保ち、かつ、装着後に容易に角度調節可能にするために素材の弾性を利用して前記積載物５を挟持する積載物ホルダー７を具備している。【００１１】図２記載の前記積載物ホルダー７の他の実施例として図３記載の軸型積載物ホルダーターもある。前記軸型積載物ホルダーは前記積載物５を容易に着脱可能かつ角度調節可能、かつ、オス端子３１をメス端子３２に嵌めるだけでセンサー６からの電気信号を通電可能にする特徴をもっている。【００１２】ヘルメット使用者が図２記載の前記積載物５を口にくわえたとき無理な角度にならないために前記積載物５と前積載物保持ホルダー７が前記長物体１０の奥端上で上下方向に揺動可能にする回転軸をもつ角度調整金具８を前記積載物ホルダー７にとりつけていることを特徴とする。【００１３】使用する人の顎と口の間の距離に応じて図２記載の前記積載物５の位置を調整可能にするために前記積載物５と前記積載物ホルダー７と、前記角度調整金具８を一体にして前記長物体１０上を摺動可能な摺動装置９を具備している。【００１４】使用者が口にくわえた図２記載の前記積載物５を外すときスムーズに離れるために前記積載物５をくわえたとき前記長尺体１０の奥端がほぼ水平になるように下向きに湾曲させたおもり積載部１１と前記おもり積載部１１に載せた適量のおもり１３を具備している。【００１５】図１記載の前記積載物５を使用しないとき前記アーム３と前記てこ部４は邪魔になるため図２記載の前記アームロックネジ２３を緩めることにより前記アーム３を前記結合部２と容易に着脱可能で、また前記アームロックネジ２３を締めることで前記アーム３の位置を調整できる。【００１６】図１、図２記載のアーム３の他の実施例として図５記載のようにアームに関節部２９を具備したタイプがある。そして前記アーム３と前記てこ部４を前記結合部２から外したとき図６に示すようにコンパクトに折りたたみ可能にするため長尺体１０を支点ブロック２８の上で回転可能かつ固定可能な長尺体回転機構を具備している。【００１７】前記長尺体回転機構は前記支点ブロック２８と前記長尺体１０を長尺体回転軸２７で回動可能に結合している。そして前記長尺体１０が前記支点支持棒１９の軸方向に対して直角方向と平行方向で固定可能とする互いに係合する長尺体ロック穴１４と長尺体ロックピン１５を前記支点ブロック２８と前記長尺体１０の接する面に形成して、前記長尺体回転軸２７に取り付けたバネ２６によって回転途中に自動的にロックする仕組みになっている。【００１８】前記積載物５は積載物として、ホイッスルと、各種センサー、各種スイッチ、マイクロフォン、をそれぞれ単体又は複数組み合わせた積載物を具備している。【００１９】前記センサー６に唇が触れることによってリレーが作動しトランシーバーの送信やその他あらゆる機器の操作を、手を使わずに操作できる。【００２０】前記スイッチとして舌で操作するジョイステックを具備したタイプもある。【００２１】笛を吹くときはセンサーを作動させたくないときは笛内部に圧力センサーを内装するタイプもある。【００２２】使用者がヘルメットを被ったとき図１記載の前記結合部２、前記アーム３、前記てこ部４の重さでヘルメットが傾かないために図前記結合部２と反対側の前記ヘルメット本体１内側壁と前記ヘルメット本体１後部の内壁に取り付けた図４記載のバランス安定用おもり３７を具備している。【００２３】他の実施例として前記ヘルメット本体１の両側壁内部にスピーカーを具備したタイプもある。【００２４】他の実施例として前記てこ部４、アーム部３、結合部２を、スピーカーを具備したヘッドバンドに取り付けたヘッドセットタイプもある。
【産業上の利用可能性】
【００２５】手を使わずに無線の送受信や笛を吹くことができ自由に会話もできるため交通誘導員や災害時の活動に役立つ。
【図面の簡単な説明】
【００２６】
【図１】多機能ヘルメット全体図
【図２】多機能ヘルメット分解図
【図３】軸型ホルダーと顎受けローラー
【図４】バランス安定部
【図５】折りたたみ型多機能ヘルメット
【図６】アームとてこ部折りたたみ図
【符号の説明】
【００２７】１ヘルメット本体
２結合部
３アーム
４てこ部
５積載物
６センサー
７積載物ホルダー
８角度調整金具
９摺動装置
１０長物体
１１おもり積載部
１２顎受け
１３おもり
１４長物体ロック穴
１５長物体ロックピン
１６長物体旋回穴
１７ベアリング挿入穴
１８ベアリング
１９支点棒
２０ジョイント
２１フレキシブルチューブ
２２アーム棒
２３つまみ
２４アームロックネジ
２５結合部メインフレーム
２６バネ
２７長物体旋回ネジ
２８アーム挿入穴
２９関節部
３０軸型ホルダー支柱
３１オス端子
３２メス端子
３３第二摺動装置
３４第二角度調整金具
３５顎受けローラ
３６ヘルメット安定部
【図１】
2005126873.tif 000003
【図２】
2005126873.tif 000004
【図３】
2005126873.tif 000005
【図４】
2005126873.tif 000006
【図５】
2005126873.tif 000007
【図６】
2005126873.tif 000008